(57)【特許請求の範囲】
【請求項１】
無線局において作成される無線局データと、交換局において作成される交換局データとが一致するか否かを判定するデータ判定装置であって、
前記無線局データにおけるデータ要素の配置順序を判定するために必要なデータ要素であるパターン判定要素を、前記無線局データから抽出するパターン判定要素抽出部と、
前記パターン判定要素抽出部が抽出した前記パターン判定要素に基づいて、前記無線局データにおけるデータ要素の配置順序を判定するパターン判定部と、
前記パターン判定部が判定した前記配置順序に対応する変換方法によって前記無線局データの各データ要素の配置順序を変換し、さらにファイル形式を変換する第１データ変換部と、
前記交換局データのファイル形式を前記無線局データと同じファイル形式に変換する第２データ変換部と、
前記第１データ変換部によって変換された前記無線局データと、前記第２データ変換部によって変換された前記交換局データとを比較し、両データの内容が一致するか否かを判定する比較部と、
を備えることを特徴とするデータ判定装置。
【請求項２】
無線局において作成される無線局データと、交換局において作成される交換局データとが一致するか否かを判定するデータ判定方法であって、
前記無線局データを読み込むステップと、
前記無線局データにおけるデータ要素の配置順序を判定するために必要なデータ要素であるパターン判定要素を、前記無線局データから抽出するステップと、
前記無線局データから抽出された前記パターン判定要素に基づいて、前記無線局データにおけるデータ要素の配置順序を判定するステップと、
判定された前記配置順序に対応する変換方法によって前記無線局データの各データ要素の配置順序を変換し、その後にファイル形式を変換するステップと、
前記交換局データのファイル形式を前記無線局データと同じファイル形式に変換するステップと、
ファイル形式変換後の前記無線局データと、ファイル形式変換後の前記交換局データとを比較し、両データが一致するか否かを判定するステップと、
を含むことを特徴とするデータ判定方法。
【請求項３】
無線局において作成される無線局データと、交換局において作成される交換局データとが一致するか否かを判定するデータ判定プログラムであって、
コンピュータに、
前記無線局データを読み込むステップと、
前記無線局データにおけるデータ要素の配置順序を判定するために必要なデータ要素であるパターン判定要素を、前記無線局データから抽出するステップと、
前記無線局データから抽出された前記パターン判定要素に基づいて、前記無線局データにおけるデータ要素の配置順序を判定するステップと、
判定された前記配置順序に対応する変換方法によって前記無線局データの各データ要素の配置順序を変換し、その後にファイル形式を変換するステップと、
前記交換局データのファイル形式を前記無線局データと同じファイル形式に変換するステップと、
ファイル形式変換後の前記無線局データと、ファイル形式変換後の前記交換局データとを比較し、両データが一致するか否かを判定するステップと、
を実行させることを特徴とするデータ判定プログラム。
【請求項４】
無線局において作成される無線局データと、交換局において作成される交換局データとが一致するか否かを判定するデータ判定プログラムを記録するコンピュータ読み取り可能な記録媒体であって、
コンピュータに、
前記無線局データを読み込むステップと、
前記無線局データにおけるデータ要素の配置順序を判定するために必要なデータ要素であるパターン判定要素を、前記無線局データから抽出するステップと、
前記無線局データから抽出された前記パターン判定要素に基づいて、前記無線局データにおけるデータ要素の配置順序を判定するステップと、
判定された前記配置順序に対応する変換方法によって前記無線局データの各データ要素の配置順序を変換し、その後にファイル形式を変換するステップと、
前記交換局データのファイル形式を前記無線局データと同じファイル形式に変換するステップと、
ファイル形式変換後の前記無線局データと、ファイル形式変換後の前記交換局データとを比較し、両データが一致するか否かを判定するステップと、
を実行させるデータ判定プログラムを記録したことを特徴とするコンピュータ読み取り可能な記録媒体。
【発明の詳細な説明】
【０００１】
【発明の属する技術分野】
本発明は、パターンが異なる複数のデータの内容が同一か否かを判定するためにデータ変換する装置、方法、プログラムおよびそのプログラムを記録した記録媒体に関し、特に移動網用電子交換機（以下、交換機と呼ぶ）が記憶するデータの内容と移動網用無線装置（以下、無線装置と呼ぶ）が記憶するデータの内容とが同一か否かを判定するために使用されるデータ変換技術に関する。
【０００２】
【従来の技術】
交換機のソフトウェアシステムは、交換機共通のシステムプログラムと交換局毎の収容形態にあわせたデータ部分とから構成されている。そして、このデータ部分を交換局データと呼んでいる。無線装置のソフトウェアシステムも同様に、無線装置共通のシステムプログラムと無線装置毎の収容形態にあわせたデータ部分とから構成されている。そして、このデータ部分を無線局データと呼んでいる。交換局データは交換局において、無線局データは無線送受信局である基地局において各々作成される。
【０００３】
図１０は、従来の目視によるデータチェック方法を説明するための図である。図１０に示すように、交換設計資料６１０内に存在する交換局データ６１２の内容である「無線系トランクＣＯＤＥＣ対応定義」６１４と、無線設計資料６２０内に存在する無線局データ６２２の内容である「ＭＤＥ−ＴＲＸ配置印刷イメージ」６２４とは、データ収容パターンがかなり異なる。
【０００４】
また、各無線局のデータ収容パターンは、無線局毎に収容条件が異なる、各無線局で使用される装置の構造が複数種類あるなどの理由により、無限に存在する。
【０００５】
【発明が解決しようとする課題】
上記の如く、無線局と交換局のデータ収容パターンがかなり異なり、また無線局のデータ収容パターンが種々あるため、無線局データと交換局データとの比較処理をシステム化することは困難であった。
【０００６】
このため、交換局データと無線局データとを比較し、両データが一致するかどうかのチェックを目視によって行っているが、局データの規模が大きければ大きいほど稼働が大きくなるため、データアンマッチを見落としてしまう恐れがある。
【０００７】
本発明は、上記課題に鑑みてなされたものであり、形式の異なる２つのデータの形式を一致させ、それらデータの内容が一致するか否かのチェックを簡易、迅速、確実に行う装置、方法、プログラムおよびそのようなプログラムが記憶された記憶媒体を提供することを目的とする。
【０００８】
【課題を解決するための手段】
本発明は、上記課題を解決するためになされたものであり、その第１の特徴は（ａ）第１データのパターンを判定するために必要なパターン判定要素を、前記第１データから抽出するパターン判定要素抽出部と、（ｂ）前記パターン判定要素抽出部が抽出した前記パターン判定要素に基づいて、前記第１データのパターンを判定するパターン判定部と、（ｃ）前記パターン判定部が判定した前記パターンに対応する変換方法によって前記第１データの各要素の位置を変換させ、さらにファイル形式を変換する第１データ変換部と、を備えることにある。
【０００９】
データのパターンとは、データ要素の配置を意味し、例えば、機器Ａに関するデータ要素ｄｙ１、機器Ｂに関するデータ要素ｄｙ２、機器Ｃに関するデータ要素ｄｙ３、を（ｄｙ１，ｄｙ２，ｄｙ３）という順序に配置する場合をパターンｐ１とし、（ｄｙ３，ｄｙ２，ｄｙ１）という順序に配置する場合をパターンｐ２とする。
【００１０】
パターン判定要素には、データ生成に使用される機器が使用するバンド種別、機器製造メーカなどが含まれる。例えば、（１−１）バンド種別がｂｓ１であるならパターン１，２，３，４，５，６，７，８のいずれかであり、（１−２）バンド種別がｂｓ２であるならパターンｐ９であると判断され、（２）バンド種別がｂｓ１であって、（２−１）機器製造メーカがＡ社であるならパターンｐ１、（２−２）Ｂ社であるならパターンｐ２，３，４，５のいずれか、（２−３）Ｃ社であるならパターンｐ６，７，８のいずれか、（２−４）Ａ，Ｂ，Ｃ社以外であるならパターン判定対象外と判断される。
【００１１】
「パターン判定部が判定したパターンに対応する変換方法によってデータ要素の位置を変換」とは、例えばパターンｐ１と判定されたらパターンｐ１用の変換方法に従って、パターンｐ１のデータ要素（ｄｙ１，ｄｙ２，ｄｙ３）の順序を、（ｄｙ２，ｄｙ３，ｄｙ１）へと変換することをいう。
【００１２】
このような装置によれば、（１）複数のパターンの中から変換対象データのパターンを特定し、（２）そのパターンに対応する変換方法を用いることによって、「比較可能なデータ」または「比較可能なデータに変換しやすいデータ」に変換することが可能になる。
【００１３】
また、本発明の第２の特徴は、（１）第２データのファイル形式を前記第１データと同じファイル形式に変換する第２データ変換部と、（２）前記第１データ変換部によって変換された前記第１データと、前記第２データ変換部によって変換された前記第２データとを比較し、両データの内容が一致するか否かを判定する比較部と、を備えることにある。
【００１４】
このような装置によれば、ファイル形式の異なる第１データと第２データを容易に比較することができる。
【００１５】
【発明の実施の形態】
以下、図面を参照しながら本発明の実施の形態を説明する。
図１は本発明の実施の形態にかかるデータ変換装置の構成を示すブロック図である。図１に示すように、本発明の実施の形態にかかるデータ変換装置１００は、
（ａ）無線局データ（第１データ）を取得する無線局データ取得部１１０と、
（ｂ）無線局データ取得部１１０が取得した無線局データを記憶する無線局データ記憶部１１２と、
（ｃ）無線局データ記憶部１１２に記憶されている無線局データの収容パターンを判定するための要素を抽出する収容パターン判定要素抽出部１１４と、
（ｄ）収容パターン判定要素抽出部１１４によって抽出された収容パターン判定要素に基づいて無線局データの収容パターンを判定する収容パターン判定部１１６と、
（ｅ）収容パターン判定部１１６によって判定された収容パターンに基づいて無線局データをＣＳＶ形式に変換する無線局データ変換部１１８と、
（ｆ）交換局データ（第２データ）を取得する交換局データ取得部１２０と、
（ｇ）交換局データ取得部１２０が取得した交換局データを記憶する交換局データ記憶部１２２と、
（ｈ）交換局データ記憶部１２２に記憶されている交換局データをＣＳＶ形式に変換する交換局データ変換部１２４と、
（ｉ）無線局データ変換部１１８によって変換されたＣＳＶ形式の無線局データと、交換局データ変換部１２４によって変換されたＣＳＶ形式の交換局データとを比較し、両データ内容が一致するかを調べる比較部１３０と、
（ｊ）無線局データ取得部１１０が無線局データを取得できなかった旨のメッセージ、収容パターン判定部１１６が収容パターンを判定できなかった旨のメッセージ、および比較部１３０の比較結果を表示可能な表示部１３２と、
（ｋ）比較部１３０がＣＳＶ形式無線局データとＣＳＶ形式交換局データとが一致しないと判断した場合に作成されるエラーファイルを記憶するエラーファイル記憶部１３４と、
（ｌ）比較部１３０の比較結果１３８を印刷可能な印刷部１３６と、を備える。
【００１６】
無線局データ取得部１１０は、無線局データを無線局から、有線または無線回線を通じて取得するとしても良く、また相変化型光ディスク、光磁気ディスク、フロッピーディスクなどの持ち運び可能な記録媒体を介して取得するとしても良い。交換局データ取得部１２０が交換局データを取得する経路も、無線局データ取得部１１０と同様に、限定されない。
【００１７】
図２は図１に示すデータ変換装置１００におけるデータ変換処理の流れを示すフローチャートである。図２に示すように、ステップＳ２０２で無線局データを取得し、ステップＳ２０４でデータが取得されたかを確認する。データが取得されない場合は「データ取得不可」というメッセージを表示部１３２に表示し（ステップＳ２０６）、データが取得された場合は収容パターン判定要素を抽出する（ステップＳ２０８）。
【００１８】
図３は、図２に示す収容パターン判定要素抽出（ステップＳ２０８）の内容を示すフローチャートである。図３に示すように、収容パターン判定要素抽出部１１４は、取得した無線データから収容パターン判定に必要なテキストファイルを抽出し（Ｓ２０８１）、抽出されたテキストファイルを複数のテーブルに分解する必要があるかを判断し（Ｓ２０８３）、分割が必要な場合は１つのテキストファイルから複数のテーブルを作成し（Ｓ２０８５）、分割が不要な場合は１つのテキストファイルから１つのテーブルを作成し（Ｓ２０８７）、各テーブルから収容パターン判定要素を抽出する（Ｓ２０８９）。なお、収容パターン判定に必要なテキストファイルを抽出する際、抽出の対象となる無線局を特定する条件には、基地局を特定する際にキーとなる「ＭＲＣ番号」から検索を行う。その基地局（無線装置）内の無線局データを「ＭＲＣ．ｔｘｔ」、「ＢＣＥＦ．ｔｘｔ」、「ＢＣＥＨ．ｔｘｔ」のファイルから、交換局データとのチェックに必要なデータを６つのテーブルに分解する。「ＭＲＣ．ｔｘｔ」においては、１ファイル内に存在するデータの中で、交換局データとのチェックに必要なデータが複数の項目として存在しているため、４つのテーブルに分割し、管理を行っている。ここで、ＭＲＣ(Ｍｏｂｉｌｅ  Ｒａｄｉｏ  Ｃｈａｎｎｅｌ)番号とは無線側から見た交換局を表す番号である。
【００１９】
図４は、図３に示すパターン判定要素抽出の具体例を示す図である。図４に示すように、無線データ３０２から収容パターン判定に必要なテキストファイルとしてＭＲＣ．ＴＸＴ３０４、ＢＣＥＦ．ＴＸＴ３０６、ＢＣＥＨ．ＴＸＴ３０８を抽出する。そして、ＭＲＣ．ＴＸＴ３０４についてはステップＳ２０８３でテーブル分割必要と判断され、ＭＲＣ．ＴＸＴ３０４からＭＲＣ＿ＭＤＥテーブル３１０、ＭＲＣ＿ＣＺテーブル３１２、ＭＲＣ＿ＢＳテーブル３１４、ＭＲＣ＿ＲＤＵテーブル３１６を作成する。ＢＣＥＦ．ＴＸＴ３０６とＢＣＥＨ．ＴＸＴ３０８についてはステップＳ２０８３でテーブル分割不要と判断され、ＢＣＥＦ．ＴＸＴ３０６からＢＣＥＦ＿ＴＲＸテーブル３１８を、ＢＣＥＨ．ＴＸＴ３０８からＢＣＥＨ＿ＴＲＸテーブル３２０を、それぞれ作成する。
【００２０】
ＢＣＥＦとはフルレート方式の基地局制御装置（ＢＣＥ：Ｂａｓｅ  Ｓｔａｔｉｏｎ  Ｃｏｎｔｒｏｌｌｅｒ  Ｕｎｉｔ）、ＢＣＥＨとはハーフレート方式の基地局制御装置（ＢＣＥ：Ｂａｓｅ  Ｓｔａｔｉｏｎ  Ｃｏｎｔｒｏｌｌｅｒ  Ｕｎｉｔ）、ＭＤＥとは基地局変復調装置（Ｍｏｄｕｌａｔｉｏｎ  ａｎｄ  Ｄｅｍｏｄｕｌａｔｉｏｎ  Ｅｑｕｉｐｍｅｎｔ）、ＣＺとは移動通信網の各基地局におけるセクタ（無線ゾーン）、ＢＳとは無線基地局（Ｂａｓｅ  Ｓｔａｔｉｏｎ）、ＲＤＵとは無線ユニット（Ｒａｄｉｏ  Ｕｎｉｔ）、ＴＲＸとは無線送受信機能部（Ｔｒａｎｓｍｉｔｔｏｒ＆Ｒｅｃｅｉｖｅｒ）を表す。
【００２１】
収容パターン判定要素抽出部１１４が抽出する収容パターン判定要素には、ＴＲＸの最大実装枚数、バンド種別、ＭＤＥのメーカ、セクタの並び、ＭＤＥの種別、ＣＺの種別などが含まれる。
【００２２】
図５は、図２に示す収容パターン判定（ステップＳ２１０）の内容を示すフローチャートである。図５に示すように、収容パターン判定部１１６は、ＴＲＸ最大実装枚数が３６枚または２４枚のいずれか、バンド種別がＡまたはＢのいずれか、ＭＤＥメーカがＡ社，Ｂ社またはＣ社のいずれかなどに基づいて収容パターンを判定する。例えば、ステップＳ２１０１でＴＲＸ最大実装枚数が３６枚であるならステップＳ２１０７へ分岐し、ステップＳ２１０７でバンド種別がＡであるならステップＳ２１１３へ分岐し、ステップＳ２１１３でＭＤＥメーカがＡ社であるならステップＳ２１３１へ分岐し、収容パターンは１であると判定する。
【００２３】
図６は、図２に示す収容パターン判定（ステップＳ２１０）の内容をテーブルを用いて説明するための図である。図６に示すように、ＴＲＸ最大実装枚数が３６枚であるなら分岐１テーブル３５１へ、２４枚であるなら分岐２テーブル３５３へ進み、その他の場合は判定対象外とする。そして、分岐１テーブル３５１へ進んだ場合、バンド種別が「８００デジタル、１．５デジタル、８００アナログ、８００（Ｄ＆Ａ）、８００＆１．５、８００（Ｄ＆Ａ＆Ｎ）」であるなら、ＭＤＥメーカを調べる。バンド種別が「８００Ｎ」であるなら、パターン（ＰＴ）９であると判断する。バンド種別が、「８００デジタル、１．５デジタル、８００アナログ、８００（Ｄ＆Ａ）、８００＆１．５、８００（Ｄ＆Ａ＆Ｎ）」または「８００Ｎ」のいずれにも該当しない場合は、判定対象外であるとする。
【００２４】
「８００デジタル」とは８００ＭＨｚのＤ帯域、「１．５デジタル」とは１．５ＧＨｚのＤ帯域、「８００アナログ」とは８００ＭＨｚのＡ帯域、「８００（Ｄ＆Ａ）」とは８００ＭＨｚのＤ帯域とＡ帯域の両方、「８００＆１．５」とは８００ＭＨｚのＡ帯域と８００ＭＨｚのＤ帯域と１．５ＧＨｚのＤ帯域の３つの帯域、「８００（Ｄ＆Ａ＆Ｎ）」とは８００ＭＨｚのＤ帯域，Ａ帯域およびＮ帯域の３つの帯域、「８００Ｎ」とは８００ＭＨｚのＮ帯域を表す。また、例えば、「Ａ帯域」とは当初アナログ帯域として使用していたが後からデジタル帯域として使用している周波数帯域、「Ｄ帯域」とは当初からデジタル帯域として使用している周波数帯域、「Ｎ帯域」とはＡ帯域およびＤ帯域以外に新たに使用が許可されたデジタル帯域を表す。
【００２５】
バンド種別が「８００デジタル、１．５デジタル、８００アナログ、８００（Ｄ＆Ａ）、８００＆１．５、８００（Ｄ＆Ａ＆Ｎ）」であり、ＭＤＥメーカがＡ社であるならＰＴ１と判断する。
【００２６】
バンド種別が「８００デジタル、１．５デジタル、８００アナログ、８００（Ｄ＆Ａ）、８００＆１．５、８００（Ｄ＆Ａ＆Ｎ）」であり、ＭＤＥメーカがＢ社であり、セクタの並びが「Ｄ１２，１２，１２  Ａ１２，１２，１２  ・Ｄ，Ａ２４，２４，２４」であり、
ＭＤＥメーカがＢ１社であるならＰＴ２、
ＭＤＥメーカがＢ２社であるならＰＴ３、と判断する。
【００２７】
セクタの並びが「Ｄ１２，１２，１２  Ａ１２，１２，１２」とは、デジタル波、アナログ波のいずれも基地局を中心とする周囲３６０度を１２０度ずつの３つのセクタに分割するという意味である。また、「Ｄ，Ａ２４，２４，２４」とは、Ｄ帯またはＡ帯のどちらでも良いという意味で、「Ｄ２４，２４，２４」または「Ａ２４，２４，２４」ということを示す。全ての基本として、セクタの並び「Ｄａ，ａ，ａ  Ａｂ，ｂ，ｂ」というのは、「Ｄ帯」のセクタ１，セクタ２，セクタ３をそれぞれａずつ使用し、「Ａ帯」のセクタ１，セクタ２，セクタ３をそれぞれｂずつ使用していることを表す。ここで、「ａ」，「ｂ」とはＴＲＸの搭載実装枚数を表す。よって、「Ｄ１６，１６，１６」の場合は、セクタ１，２，３にはＤ帯としてＴＲＸをそれぞれ１６枚実装する。
【００２８】
バンド種別が「８００デジタル、１．５デジタル、８００アナログ、８００（Ｄ＆Ａ）、８００＆１．５、８００（Ｄ＆Ａ＆Ｎ）」であり、ＭＤＥメーカがＢ社であり、セクタの並びが「Ｄ１６，１６，１６  ・Ａ８，８，８」であり、
ＭＤＥメーカがＢ１社であるならＰＴ４、
ＭＤＥメーカがＢ２社であるならＰＴ５、と判断する。
【００２９】
バンド種別が「８００デジタル、１．５デジタル、８００アナログ、８００（Ｄ＆Ａ）、８００＆１．５、８００（Ｄ＆Ａ＆Ｎ）」であり、ＭＤＥメーカがＣ社であり、
セクタの並びが「Ｄ１２，１２，１２  ・Ａ１２，１２，１２」であるならＰＴ６、
セクタの並びが「Ｄ１６，１６，１６  ・Ａ８，８，８」であるならＰＴ７、
セクタの並びが「Ｄ，Ａ２４，２４，２４」であるならＰＴ８、と判断する。
【００３０】
ＴＲＸ最大実装枚数が２４枚であるなら分岐２テーブル３５３へ進む。そして、分岐２テーブル３５３へ進んだ場合、バンド種別が「８００（Ｄ＆Ａ＆Ｎ）」であるなら、「３シェルフ目のセクタの並び」を調べる。バンド種別が「８００デジタル、１．５デジタル、８００アナログ、８００（Ｄ＆Ａ）、８００＆１．５、８００Ｎ」であるなら、ＭＤＥ種別を調べる。バンド種別が「８００（Ｄ＆Ａ＆Ｎ）」または「８００デジタル、１．５デジタル、８００アナログ、８００（Ｄ＆Ａ）、８００＆１．５、８００Ｎ」のいずれにも該当しない場合は、判定対象外であるとする。
バンド種別が「８００（Ｄ＆Ａ＆Ｎ）」であり、
「３シェルフ目のセクタの並び」が「セクタ２  開始位置≠５７  セクタ３  開始位置≠６５」であるならＰＴ１０、
「３シェルフ目のセクタの並び」が「セクタ２  開始位置＝５７  セクタ３  開始位置＝６５」であるならＰＴ１１、
「３シェルフ目のセクタの並び」が「セクタ１，４のみ」であるならＰＴ１２、と判断する。
【００３１】
バンド種別が「８００デジタル、１．５デジタル、８００アナログ、８００（Ｄ＆Ａ）、８００＆１．５、８００Ｎ」であり、ＭＤＥ種別が「３バンド」であり、
セクタの並びが「セクタ１，４のみ」以外であり、
交換データ：回線番号２が「１３」でないならＰＴ１３、
交換データ：回線番号２が「１３」であるならＰＴ１４、と判断する。
【００３２】
セクタの並びが「セクタ１，４のみ」であるならＰＴ１５と判断する。
【００３３】
バンド種別が「８００デジタル、１．５デジタル、８００アナログ、８００（Ｄ＆Ａ）、８００＆１．５、８００Ｎ」であり、ＭＤＥ種別が「３バンド」以外であり、
ＣＺ種別が「全てマイクロＢＳ」であるならＰＴ１６、
ＣＺ種別が「全てマイクロＢＳ」以外であり、
セクタの並びが「標準パターン」であるならＰＴ１７、
セクタの並びが「標準パターン」以外であるならＰＴ１８、と判断する。以上が、図２の収容パターン判定（ステップＳ２１０）の内容である。
【００３４】
ステップＳ２２０で、収容パターン判定部１１６が、収容パターンを判定できか確認する。収容パターンを判定できなかった場合はステップＳ２２２へ進み、表示部１３２に「パターン判定不可」という旨のメッセージを表示する。
【００３５】
収容パターンを判定できた場合はステップＳ２３０へ進み、無線局データ変換部１１８が無線局データのファイル形式をＣＳＶ形式へ変換する。
【００３６】
図７は、図２に示すファイル形式変換（ステップＳ２３０）の内容を示すフローチャートである。図７に示すように、無線局データ変換部１１８は、まず収容パターン判定結果に基づいてデータ形式の変換に使用するパターン（変換パターン）を選択する（ステップＳ２３０１）。つまり、収容パターンがＰＴ１であると判定されたらＰＴ１用の変換パターンを選択し、収容パターンがＰＴ２であると判定されたらＰＴ２用の変換パターンを選択する。そして、選択された変換パターンを用いて、データ要素を並び替える（ステップＳ２３０３）。
【００３７】
図８は、図７に示すデータ要素並び替え（ステップＳ２３０３）の内容を説明するための図である。図８に示すように、収容パターン１と判定されたら、
無線データ形式４０１の第１番目「ＭＤＥ内ＣＺ番号＝１、回線番号＝１」を変換後データ４０３の第１番目に移動し、
無線データ形式４０１の第２５番目「ＭＤＥ内ＣＺ番号＝１、回線番号＝２５」を変換後データ４０３の第７番目に移動し、
無線データ形式４０１の第４９番目「ＭＤＥ内ＣＺ番号＝１、回線番号＝４９」を変換後データ４０３の第１３番目に移動するなどの処理を行う。
【００３８】
また、収容パターン２と判定されたら、
無線データ４０５の第１番目「ＭＤＥ内ＣＺ番号＝１、回線番号＝１」を変換後データ４０７の第１番目に移動し、
無線データ４０５の第２５番目「ＭＤＥ内ＣＺ番号＝１、回線番号＝２５」を変換後データ４０７の第２番目に移動し、
無線データ４０５の第４９番目「ＭＤＥ内ＣＺ番号＝１、回線番号＝４９」を変換後データ４０７の第３番目に移動するなどの処理を行う。
【００３９】
図７のステップＳ２３０３でデータ要素の並べ替えを行ったら、ステップＳ２３０５でＣＳＶ形式へ変換する。以上が、ファイル形式をＣＳＶ形式へ変換するステップＳ２３０の内容である。
【００４０】
無線局データの取得、変換と並行して、交換局データの取得（ステップＳ２４０）、変換（ステップＳ２４２）を行う。ステップＳ２４２では、無線局データとの比較チェックの対象となる交換局を、ユニット情報に基づいて特定し、特定された交換局データをＣＳＶ形式へ変換する。ユニット情報には例えば、ＲＮが含まれる。「ＲＮ」とはＲｏｕｔｉｎｇ  Ｎｕｍｂｅｒの略で個々の交換局に割り当てられる番号を示す。
【００４１】
ステップＳ２５０では、無線局データ変換部１１８によってＣＳＶ形式に変換された無線局データと、交換局データ変換部１２４によってＣＳＶ形式に変換された交換局データとを、比較部１３０によって比較する。
【００４２】
ステップＳ２５２では、ＣＳＶ形式に変換した無線局データと交換局データの両データが、一致したら「はい」に分岐して処理を終了し、一致しなかったら「いいえ」に分岐する。
【００４３】
ステップＳ２５４では、エラーファイルを作成する。エラーファイルには、エラー発生箇所、エラーの総数などが含まれ、エラーファイル記憶部１３４に記憶される。
【００４４】
両データの比較結果は、表示部１３２に表示可能である。表示部１３２にはＣＲＴ（陰極線管）、ＴＦＴ（Thin Film Transistor）液晶などが含まれる。
【００４５】
同様に、両データの比較結果は、比較結果表１３８として印刷部１３６によって印刷可能である。
【００４６】
上記の如く、（１）本実施形態では、複数の無線局データ内から変換対象の無線局データを抽出し、（２）変換対象無線局データ内から収容パターン判定要素を抽出して収容パターンを判定し、（３）判定された収容パターンに応じたデータ要素の位置変換処理およびＣＳＶ形式へのファイル形式変換処理を行い、（４）ＣＳＶ形式の交換局データと比較して両データが一致するかを判定する。
【００４７】
これにより従来は目視によって行われていた無線局−交換局間データチェックが極めて簡易、迅速、確実に行うことができ、稼働の削減、チェックミスの防止が可能となる。
【００４８】
また、前記のデータ一致判定方法において必要とされる各ステップをコンピュータに実行させるプログラムを記録媒体に記録し、これをコンピュータに読み取らせ、実行させることにより、前記したデータ一致判定方法を実現することができる。ここで、記録媒体としては、例えばメモリ装置、磁気ディスク装置、光ディスク装置、磁気テープ装置などのプログラムを記録できるような装置が含まれる。
【００４９】
図９は、これら記録媒体に格納されたプログラムを読み取り、そこに記述されたステップに従ってデータの処理を実現するコンピュータシステムの一例を示す概観図である。図９に示すように、コンピュータシステム５００が読み取り可能な記録媒体は、例えば、フロッピーディスク５１６、コンパクトディスク５１７、ＩＣチップ５１８、カセットテープ５１９等が挙げられる。このようなデータ一致判定プログラムを記録したコンピュータ読み取り可能な記録媒体によれば、データ一致判定プログラムの保存、運搬、販売等を容易に行うことができる。
【００５０】
【発明の効果】
前記の如く、本発明によれば、比較対照となるデータ要素の並び方、ファイル形式が異なるデータ間のチェックが極めて簡易、迅速、確実に行うことができ、稼働の削減、チェックミスの防止が可能となる。
【図面の簡単な説明】
【図１】本発明の実施の形態にかかるデータ変換装置の構成を示すブロック図である。
【図２】図１に示すデータ変換装置におけるデータ変換処理の流れを示すフローチャートである。
【図３】図２に示す収容パターン判定要素抽出（ステップＳ２０８）の内容を示すフローチャートである。
【図４】図３に示すパターン判定要素抽出の具体例を示す図である。
【図５】図２に示す収容パターン判定（ステップＳ２１０）の内容を示すフローチャートである。
【図６】図２に示す収容パターン判定（ステップＳ２１０）の内容をテーブルを用いて説明するための図である。
【図７】図２に示すファイル形式変換（ステップＳ２３０）の内容を示すフローチャートである。
【図８】図７に示すデータ要素並び替え（ステップＳ２３０３）の具体例を示す図である。
【図９】記録媒体に格納されたプログラムを読み取り、そこに記述されたステップに従ってデータの処理を実現するコンピュータシステムの一例を示す概観図である。
【図１０】従来の目視によるデータチェック方法を説明するための図である。
【符号の説明】
１００…データ変換装置
１１０…無線局データ取得部
１１２…無線局データ記憶部
１１４…収容パターン判定要素抽出部
１１６…収容パターン判定部
１１８…無線局データ変換部
１２０…交換局データ取得部
１２２…交換局データ記憶部
１２４…交換局データ変換部
１３０…比較部
１３２…表示部
１３４…エラーファイル記憶部
１３６…印刷部
１３８…比較結果表
【図１】
0004001767.tif 000002
【図２】
0004001767.tif 000003
【図３】
0004001767.tif 000004
【図４】
0004001767.tif 000005
【図５】
0004001767.tif 000006
【図６】
0004001767.tif 000007
【図７】
0004001767.tif 000008
【図８】
0004001767.tif 000009
【図９】
0004001767.tif 000010
【図１０】
0004001767.tif 000011